(57)【要約】      （修正有）【課題】材料使用量が少なく、紙以外の部材を使用することなくそのまま古紙再生用の原料とすることができるとともに、層割れなどが生じなく耐久性に優れ、手指の痛みや切れを防止でき、持ち易く使い勝手の良い紙製手提袋を提供する。【解決手段】袋紙２の前面側及び後面側の各手提穴予定部位２０の内側に、一枚の薄紙からなる当て紙３をそれぞれ当着し、二重以上になった手提穴予定部位２０を打ち抜く、或いは線切りして折り曲げることにより、互いに連通する手提穴４、４を設けるとともに、サイドガゼット５を設けた。【選択図】図１
0003131493.tif 000002
【実用新案登録請求の範囲】
【請求項１】
袋紙の手提穴予定部位の内側に、一枚以上の薄紙からなる当て紙を当着し、二重以上になった当該手提穴予定部位を打ち抜く、或いは線切りして折り曲げることにより、手提穴を設けるとともに、サイドガゼットを設けてなることを特徴とする紙製手提袋。
【請求項２】
前記袋紙の内側に、前記当て紙の代わりに略同一形状の袋紙を重ねて設けることにより全体を二重袋として構成し、二重以上となった手提穴予定部位を打ち抜く、或いは線切りして折り曲げることにより、前記手提穴を設けてなる請求項１記載の紙製手提袋。
【請求項３】
前記当て紙を内側に貼った袋紙の内側に、当て紙を貼らない略同一形状の袋紙を重ねて設けることにより全体を二重袋として構成し、三重以上となった手提穴予定部位を打ち抜く、或いは線切りして折り曲げることにより、前記手提穴を設けてなる請求項１記載の紙製手提袋。
【請求項４】
前記手提穴予定部位を略小判形状に打ち抜くことにより手提穴を形成してなる請求項１〜３の何れか１項に記載の紙製手提袋。
【請求項５】
前記手提穴予定部位を略Ｃ字状又は略コ字状に線切りし、切り残った部分で折り曲げることにより手提穴を形成してなる請求項１〜３の何れか１項に記載の紙製手提袋。
【請求項６】
前記線切りが下方に配され、上方に折り曲げることにより手提穴を形成してなる請求項５記載の紙製手提袋。
【請求項７】
前記線切りが上方に配され、下方に折り曲げることにより手提穴を形成してなる請求項５記載の紙製手提袋。
【請求項８】
前記手提穴予定部位における上下二箇所を、それぞれ打ち抜き、或いは線切りすることにより、打ち抜き穴又は切り線を上下二段に形成し、これら両段の中間で袋紙を前面側又は後面側に折ることで、前記上下二段の打ち抜き穴又は切り線が重なり合った二重の手提穴を構成してなる請求項１〜７の何れか１項に記載の紙製手提袋。
【考案の詳細な説明】
【技術分野】
【０００１】
本考案は、袋紙に手提穴を設けてなる紙製手提袋に係わり、より詳しくは、材料使用量が少なく、そのまま古紙再生用の原料とすることができるとともに、耐久性に優れ、持ち易く使い勝手の良い紙製手提袋に関する。
【背景技術】
【０００２】
近年、省資源、省エネルギー、脱石油資源、植物原料化、ＣＯ2発生抑制の必要性が従来に増して高まる中、包装資材にもそれが求められ、その最も適切な材料として、植物原料であるパルプからなり再生が容易な「紙」が改めて見直されている。また、紙といえどもなるべく何度も使えるリユース性が求められ、使用材料量も極力少ないことが求められる。しかし、紙はプラスチック原料からなるフィルム、シートに比べて物理的強度が低く、特に紙製手提袋においては、手提げ部位について強度面をよく考慮した設計が求められる。また、内容物を収納して手提げしたときの袋をつかむ手指が痛いという問題点があり、さらは、紙は手などの皮膚を切りやすいという性質を持っていることから、これらへの対策も求められる。また、紙製手提袋は印刷が容易であることから商品持ち帰り用の袋として使用され、その多くは商品を持ち帰った後も家庭で保管され、外出時などに持ち帰った商品以外のものの運搬用に使われている。したがって、紙製手提袋には、持ち帰る時や再利用時に販売店の名前や店のイメージアップが図れることを期待して、その表面等にデザイン等が印刷され、広告宣伝媒体や粗品的進呈物品としての役割も期待されている。
【０００３】
しかしながら、従来の紙袋においては、このような要求をすべて満足したものはなかった。たとえば手提袋の一形態である手提げ紐付き袋では、本体紙袋の場合のこの課題を満足する手提げ紐の素材は紙であり、形態的には丸紐と平紐に大別されるが、両種類とも、紐の部分の材料を要すという問題、袋本体へは力が紐との接合部位に集中するので、袋が破れ易かったり、紐が抜け易かったりして、或いはその切れや抜けを防止するために補強当て紙を広く、又、重ねたりする必要があるという問題、さらに、手指には紐幅に集中して荷重が掛かるので、紐が指に食込んで痛くなるという問題がある。
【０００４】
一方、袋紙に手指を通すための手提穴または切込みが設けられ、紐を用いないタイプの紙製手提げ袋についても、省資源とはなるものの、従来は以下に示すように多々問題があった。例えば、筒状薄紙袋口部近くに厚紙を貼着した後に提げ孔を穿設するもので、折止め金を設けているものが提案されているが（例えば、特許文献１参照。）、異種の物を使用することで廃棄時に分離する必要が生じるだけでなく、厚紙で口縁の当りを和らげられるが、厚紙であるために、折りづらいこと（折ったら層割れや、繊維切れを起こし、それ以後の使用に支障をきたしたり、見栄えが悪くなったりする。）や、厚みでかさ高になること、実質多層が実現できないことなど、様々な制限が生じ、使い勝手の悪いものになる。
【０００５】
また、基片紙の上端に紙撚条数条を並列膠着形成の扁平紐条を補強材として貼着した後、その扁平紐条部位の下方で折り返して貼着した後袋化し、補強材部位の下方にある非補強部に提手長孔を穿孔したものが提案されているが（例えば、特許文献２参照。）、破損傷口拡大は阻止されるばかりでなく、扁平紐条が柔軟性に富む故に携帯時の手指の痛みを感じないとのことであるが、折り返した二層の紙層の間に紙撚条数条を並列膠着して形成された補強材を芯層として挟み込む形で膠着した三層が手指に当接することになるので、柔軟性に富みようがなく手指の痛みは感じられる。また、抜いた穴の縁は二重になっていて折れず、さらに上方に破れは拡がらないとしても下方に破れが拡がったり、一重である穴の縁で手指を切ることがある。
【０００６】
また、補強紙を貼るものも提案されているが（例えば、特許文献３参照。）、その補強紙には芯部材として割布、粗布、クロス等の紙以外の部材が使用されるものであり、袋を再生材料用とする場合には、前記芯部材あるいは補強紙全体を取り外す必要が生じるので、大きな問題が残る。
【０００７】
【特許文献１】実公昭１１−２０４３号公報
【特許文献２】実公昭３８−１７１７２号公報
【特許文献３】実開平５−３１４０号公報
【考案の開示】
【考案が解決しようとする課題】
【０００８】
そこで、本考案が前述の状況に鑑み、解決しようとするところは、材料使用量が少なく、紙以外の部材を使用することなくそのまま古紙再生用の原料とすることができるとともに、層割れなどが生じなく耐久性に優れ、手指の痛みや切れを防止でき、持ち易く使い勝手の良い紙製手提袋を提供する点にある。
【課題を解決するための手段】
【０００９】
本考案は、前述の課題解決のために、袋紙の手提穴予定部位の内側に、一枚以上の薄紙からなる当て紙を当着し、二重以上になった当該手提穴予定部位を打ち抜く、或いは線切りして折り曲げることにより、手提穴を設けるとともに、サイドガゼットを設けてなることを特徴とする紙製手提袋を構成した。
【００１０】
ここで、前記袋紙の内側に、前記当て紙の代わりに略同一形状の袋紙を重ねて設けることにより全体を二重袋として構成し、二重以上となった手提穴予定部位を打ち抜く、或いは線切りして折り曲げることにより、前記手提穴を設けてなるものも好ましい。
【００１１】
また、前記当て紙を内側に貼った袋紙の内側に、当て紙を貼らない略同一形状の袋紙を重ねて設けることにより全体を二重袋として構成し、三重以上となった手提穴予定部位を打ち抜く、或いは線切りして折り曲げることにより、前記手提穴を設けてなるものも好ましい。
【００１２】
さらに、前記手提穴予定部位を略小判形状に打ち抜くことにより手提穴を形成したものや、前記手提穴予定部位を略Ｃ字状又は略コ字状に線切りし、切り残った部分で折り曲げることにより手提穴を形成したものが好ましい。
【００１３】
とくに、前記線切りが下方に配され、上方に折り曲げることにより手提穴を形成することや、前記線切りが上方に配され、下方に折り曲げることにより手提穴を形成することが好ましい。
【００１４】
さらに、前記手提穴予定部位における上下二箇所を、それぞれ打ち抜き、或いは線切りすることにより、打ち抜き穴又は切り線を上下二段に形成し、これら両段の中間で袋紙を前面側又は後面側に折ることで、前記上下二段の打ち抜き穴又は切り線が重なり合った二重の手提穴を構成してなるものも好ましい実施例である。
【考案の効果】
【００１５】
以上にしてなる本願考案の紙製手提袋によれば、袋紙の手提穴予定部位の内側に、一枚以上の薄紙からなる当て紙を当着し、二重以上になった当該手提穴予定部位を打ち抜く、或いは線切りして折り曲げることにより、手提穴を設けるとともに、サイドガゼットを設けてなるので、厚紙で起きる或いは打ち抜いてから貼ることによる手提穴又は切り取り線の縁がずれが生じることなく二重以上になり、一重の場合や二重の場合でも縁のズレがあると生じる手指の切れや、ズレで飛び出た方の紙の破損やへたりが防止でき、使用時の安全性や耐久性を高めることができる。また、厚紙の場合に生じる折り曲げ時の紙層割れや、打ち抜き時に起きる厚紙層割れがなく、繰り返し使用での見栄えの低下や部分破損や汚損が起きにくい手提袋を提供できる。さらに当て紙も紙製であるため、異種材質部分を分離することなく効率よく古紙再生用として紙回収に供することができる。また、当て紙を薄紙とすることで折り畳んだときの袋の厚みが部分的に厚くなることによる不都合も生じないだけでなく、厚紙の厚みによる内容物出し入れ時での引っ掛かりによる内容物損傷事故も起きにくい。
【００１６】
また、前記袋紙の内側に、前記当て紙の代わりに略同一形状の袋紙を重ねて設けることにより全体を二重袋として構成し、二重以上となった手提穴予定部位を打ち抜く、或いは線切りして折り曲げることにより、前記手提穴を設けたので、二重袋として、袋内容物による荷重や突起等物理的刺激による破袋に耐えやすくなるとともに、断熱性が高まる。また、部分的な当て紙は内容物との干渉により当て紙の剥がれや内容物の損傷等が生じる可能性があるが、二重袋とすればそのような問題も解消される。
【００１７】
また、前記当て紙を内側に貼った袋紙の内側に、当て紙を貼らない略同一形状の袋紙を重ねて設けることにより全体を二重袋として構成し、三重以上となった手提穴予定部位を打ち抜く、或いは線切りして折り曲げることにより、前記手提穴を設けたので、当て紙の存在により手提穴の内周縁をさらに多層にして、手指の切れ等を防止できるとともに、当て紙にさらに内側に袋紙を重ねたので、内容物の出し入れによる当て紙の破損や、当て紙による内容物の破損が防止できる。
【００１８】
また、前記手提穴予定部位を略小判形状に打ち抜くことにより手提穴を形成したので、使い勝手のよい手提袋を提供できる。
【００１９】
また、前記手提穴予定部位を略Ｃ字状又は略コ字状に線切りし、切り残った部分で折り曲げることにより手提穴を形成し、とくに、前記線切りが下方に配され、上方に折り曲げることにより手提穴を形成したので、舌片が手指に当接して手指への荷重が広い面積で受けることができ、手指の痛みが低減するとともに、手指下方の袋の円弧状線縁が二重以上となることで、従来起き易かった手指の切れが防止できる。
【００２０】
また、前記線切りが上方に配され、下方に折り曲げることにより手提穴を形成したので、折り曲げる舌片が指を通したときの手提穴部位での袋上方開口に対する蓋として有効に機能する。
【００２１】
さらに、前記手提穴予定部位における上下二箇所を、それぞれ打ち抜き、或いは線切りすることにより、打ち抜き穴又は切り線を上下二段に形成し、これら両段の中間で袋紙を前面側又は後面側に折ることで、前記上下二段の打ち抜き穴又は切り線が重なり合った二重の手提穴を構成したので、舌片の重なりや打抜き或いは切り線の縁がさらに多重になり、手指への当りが和らげられ、また手指の切れも一層起きにくく、袋の封止性も高まる。
【考案を実施するための最良の形態】
【００２２】
次に、本考案の実施形態を添付図面に基づき詳細に説明する。
【００２３】
図１は、本考案に係る紙製手提袋１の全体構成を示す斜視図であり、図１、２は第１実施形態、図３〜８は第２実施形態、図９〜１２は第３実施形態、図１３は第４実施形態、図１４〜１７は第５実施形態を示し、図中符号１は紙製手提袋、２、２Ａは袋紙、３は当て紙，４は手提穴、５はサイドガゼットをそれぞれ示している。
【００２４】
まず、図１、２に基づき本考案の第１実施形態を説明する。
【００２５】
本実施形態の紙製手提袋１は、図１に示すように、袋紙２の前面側及び後面側の各手提穴予定部位２０の内側に、一枚の薄紙からなる当て紙３をそれぞれ当着し、二重以上になった当該手提穴予定部位２０を打ち抜くことにより、互いに連通する手提穴４、４を設けるとともに、サイドガゼット５を設けたことを特徴としている。
【００２６】
袋紙２は、上方に開口部２ａを有する有底の紙製袋本体であり、上記のごとく左右にサイドガゼット５が形成されることにより、図１（ｂ）のように手提穴４、４片手で持つことで開口部２ａが閉じた状態となり、中身が飛び出すことなくこの状態のまま袋を移動させることができる。
【００２７】
当て紙３は薄紙であり、好ましくは生産工程上より５０ｇ／ｍ2以上の坪量が必要であり、強度を考慮すると１００〜１２０ｇ／ｍ2が適当であり、１５０ｇ／ｍ2を越えると折れ難い、切れ難い、層割れしやすい等の厚紙の場合と同様の問題が生じやすく不適当となる。本例では一枚で構成されているが二枚以上を重ねて使用してもよい。この当て紙３は前記手提穴予定部位２０の内側に対して全面糊付けして接着してもよいが、当て紙３の周囲に糊付けして接着したものが好ましい。これにより接着剤が節約できることは勿論のこと打ち抜かれた手提穴４の内周縁４０の当て紙は袋紙２から浮いた状態となり、手指に対してソフトな当りが期待できる。
【００２８】
手提穴４は略小判形状に打ち抜いて形成されているが、形状はとくに限定されず、たとえば円形や楕円形、多角形、その他異形の形状に打ち抜いて構成してもよい。手提穴４の内周縁４０は、図２からも分かるように、当て紙３の存在により手指の痛みや切れを防止でき、ソフトなタッチを実現している。このような手提袋は輪転製袋機を用いて効率よく作製できる。
【００２９】
次に、図３〜８に基づき第２実施形態を説明する。
【００３０】
本実施形態の紙製手提袋１は、図３に示すように、袋紙２の前面側および後面側の各手提穴予定部位２０を打ち抜くのではなく、略Ｃ字状又は略コ字状に線切りし、当該線切部４１の延長線上の切り残った残存部４２で、前記線切部４１により囲まれた穴形成部４３を、それぞれ前面側または後面側の同じ側に折り曲げることにより互いに連通する手提穴４、４を形成したものである。
【００３１】
ここで、前記線切部４１は上方に略Ｃ字状又は略コ字状に形成してもよいし、或いは下方に略Ｃ字状又は略コ字状に形成してもよい。例えば図３に示すように線切部４１を下方に配し、残存部４２で穴形成部４３を上方に折り曲げて手提穴４を形成したものでは、図４に示すように残存部４２から穴形成部４３からなる舌片が手指に当接することとなり、手提袋１の手指への荷重を広い面積で受けることができ、手指の痛みを大幅に低減できることとなる。また、下側の内周縁４０も勿論当て紙３の存在により二重以上となっており、切れが生じやすい指の甲側の損傷も防止できる。
【００３２】
また、図５に示すように線切部４１を上方に配し、残存部４２で穴形成部４３を下方に折り曲げて手提穴４を形成したものでは、図６に示すように残存部４２から穴形成部４３からなる舌片が手指の甲側に当接することとなり、手指の損傷を確実に防止できるとともに、当該穴形成部４３からなる舌片が蓋となって内容物の飛び出しを防止する機能を奏することとなる。
【００３３】
さらに、図７に示すように線切部４１を横に伸びる中心線とその両端から上下に延びる線とより略Ｈ字状に形成し、前記中心線を挟んだ上下の穴形成部４３、４３をそれぞれ上下の残存部４２、４２で上下に折り曲げて手提穴４を形成すれば、双方のメリット、すなわち手提袋１の手指への荷重を広い面積で受けることができ、手指の痛みを大幅に低減できるとともに、舌片が手指の甲側にも当接して手指の損傷を確実に防止できるとともに当該穴形成部４３からなる舌片が蓋となって内容物の飛び出しを防止できることとなる。
【００３４】
その他、図示しないが、前面側又は後面側の一方を打ち抜きにより手提穴４を形成するとともに、他方を線切りして手提穴４を形成し、これらを重ねて手指を通し、把持するように構成してもよい。この場合、線切りした方の穴形成部を他方の打ち抜きの手提穴側に折り返することにより、上記した穴形成部による効果を奏するようにすることが好ましい実施例である。
【００３５】
なお、穴形成部４３からなる舌片部分が糊貼りされることなく、容易に捲られるようであれば、例えば各層で色を異なるように構成すればカラフルになり、更に各層に異なる印刷がされれば袋使用者や袋を見た人への情報が多くあるいは興味深く伝えられやすく、場合によってはページを捲ることによるアニメーションを作ることもできる。これらは、紙袋の期待されている役割である広告宣伝媒体や粗品的進呈物品としての効果を高めることになる。その他の構造については、基本的には上記第１実施形態と同じであるため、同一構造には同一符号を付してその説明を省略する。
【００３６】
次に、図９〜１２に基づき第３実施形態を説明する。
【００３７】
本実施形態の紙製手提袋１は、図９に示すように、当て紙３を内側に貼った袋紙２の内側に、更に当て紙を貼らない略同一形状の袋紙２Ａを重ねて設けることにより全体を二重袋として構成し、三重以上となった前面側および後面側の手提穴予定部位２０、２０をそれぞれ打ち抜くことにより、一対の手提穴４、４を設けたものである。
【００３８】
これにより、図１０からも分かるように、当て紙３が外側の袋紙２と内側の袋紙２Ａに挟まれたように配されるため、当て紙３と内容物との干渉が生じなく、当て紙３の剥がれなどを防止できる効果がある。なお、本例では、手提穴４を打ち抜きにより構成しているが、図１１、１２に示すように、第２実施形態と同様に線切りによって手提穴４を構成してもよいことは勿論である。その他の構造については、基本的に上記第１実施形態と同様であり、同一構造には同一符号を付してその説明は省略する。
【００３９】
次に、図１３に基づき第４実施形態を説明する。
【００４０】
本実施形態の紙製手提袋１は、前記第３実施形態において当て紙３を省略したものであり、外側の袋紙２の内側に、前記当て紙３の代わりに略同一形状の袋紙２Ａをそのまま重ねて設けることにより全体を二重袋として構成し、二重以上となった手提穴予定部位２０、２０を打ち抜くことにより、前記手提穴４、４を設けたものである。すなわち、当て紙３の代わりに内側の袋紙２Ａを設け、手提穴４の内周縁４０を二重に構成し、手指の切れ等の損傷を防止したものである。なお、本例でも手提穴４を打ち抜きにより構成しているが、第２実施形態と同様に線切りによって手提穴４を構成してもよいことは勿論である。その他の構造についても、基本的に上記第１実施形態と同様であり、同一構造には同一符号を付してその説明は省略する。
【００４１】
次に、図１４〜１７に基づき第５実施形態を説明する。
【００４２】
本実施形態の紙製手提袋１は、図１４（ａ）に示すように、手提穴予定部位２０における上下二箇所を、それぞれ打ち抜きすることにより、打ち抜き穴からなる手提穴４、４を上下二段に形成し、図１４（ｂ）および図１５に示すように、これら両段の手提穴４、４の中間位置において袋紙を前面側又は後面側に折ることで、前記上下二段の打ち抜き穴からなる手提穴４、４が重なり、前面側と後面側とで合計４つの手提穴４が連通するように構成したものである。
【００４３】
これにより、手指を通す手提穴４，・・・の部分が更に多重となるため、手指への当りがさらに和らげられ、手指の切れをより確実に防止できるとともに、手提袋上側を折り畳んで把持するため内容物の飛び出しも確実に防止できるといった効果を奏するのである。なお、本例においても各手提穴４を打ち抜きにより構成する代わりに、図１６、１７に示すように、線切りによって構成してもよい。
【００４４】
また、図示しないが、本例のように前面側または後面側の一方に折るのではなく、両段の手提穴４、４の中間で袋紙の開口を内側または外側に折り返すことで上下二段の手提穴４、４を重ねるようにしてもよい。その他の構造については基本的に上記第１実施形態と同様であり、同一構造には同一符号を付してその説明は省略する。
【００４５】
以上本考案の実施形態について説明したが、本考案はこうした実施例に何ら限定されるものではなく、本考案の要旨を逸脱しない範囲において種々なる形態で実施し得ることは勿論である。
【図面の簡単な説明】
【００４６】
【図１】（ａ）は本考案の第１実施形態に係る紙製手提袋を示す斜視図、（ｂ）は同じく開口部を閉じて把持される状態を示す斜視図。
【図２】同じく第１実施形態の紙製手提袋の要部の縦断面図。
【図３】（ａ）は本考案の第２実施形態に係る紙製手提袋を示す斜視図、（ｂ）は同じく開口部を閉じて把持される状態を示す斜視図。
【図４】同じく第２実施形態の紙製手提袋の要部の縦断面図。
【図５】（ａ）は同じく第２実施形態の変形例に係る紙製手提袋を示す斜視図、（ｂ）は同じく開口部を閉じて把持される状態を示す斜視図。
【図６】同じく変形例の紙製手提袋の要部の縦断面図。
【図７】（ａ）は同じく第２実施形態の他の変形例に係る紙製手提袋を示す斜視図、（ｂ）は同じく開口部を閉じて把持される状態を示す斜視図。
【図８】同じく他の変形例の紙製手提袋の要部の縦断面図。
【図９】（ａ）は本考案の第３実施形態に係る紙製手提袋を示す斜視図、（ｂ）は同じく開口部を閉じて把持される状態を示す斜視図。
【図１０】同じく第３実施形態の紙製手提袋の要部の縦断面図。
【図１１】（ａ）は同じく第３実施形態の変形例に係る紙製手提袋を示す斜視図、（ｂ）は同じく開口部を閉じて把持される状態を示す斜視図。
【図１２】同じく変形例の紙製手提袋の要部の縦断面図。
【図１３】（ａ）は本考案の第４実施形態に係る紙製手提袋を示す斜視図、（ｂ）は同じく第４実施形態の紙製手提袋の要部の縦断面図。
【図１４】（ａ）は本考案の第５実施形態に係る紙製手提袋を示す斜視図、（ｂ）は同じく開口部を閉じて把持される状態を示す斜視図。
【図１５】同じく第５実施形態の紙製手提袋の要部の縦断面図。
【図１６】（ａ）は同じく第５実施形態の変形例に係る紙製手提袋を示す斜視図、（ｂ）は同じく開口部を閉じて把持される状態を示す斜視図。
【図１７】同じく変形例の紙製手提袋の要部の縦断面図。
【符号の説明】
【００４７】
１  紙製手提袋
２，２Ａ  袋紙
２ａ  開口部
３  当て紙
４  手提穴
５  サイドガゼット
２０  手提穴予定部位
４０  内周縁
４１  線切部
４２  残存部
４３  穴形成部
【図１】
0003131493.tif 000003
【図２】
0003131493.tif 000004
【図３】
0003131493.tif 000005
【図４】
0003131493.tif 000006
【図５】
0003131493.tif 000007
【図６】
0003131493.tif 000008
【図７】
0003131493.tif 000009
【図８】
0003131493.tif 000010
【図９】
0003131493.tif 000011
【図１０】
0003131493.tif 000012
【図１１】
0003131493.tif 000013
【図１２】
0003131493.tif 000014
【図１３】
0003131493.tif 000015
【図１４】
0003131493.tif 000016
【図１５】
0003131493.tif 000017
【図１６】
0003131493.tif 000018
【図１７】
0003131493.tif 000019